【手続補正書】
【提出日】平成20年5月28日(2008.5.28)
【手続補正１】
【補正対象書類名】明細書
【補正対象項目名】特許請求の範囲
【補正方法】変更
【補正の内容】
【特許請求の範囲】
【請求項１】  遊技者が所定の遊技を行い、所定条件が成立したときに遊技者に有利な特定遊技状態に制御可能な遊技機であって、
遊技に関わる制御を行う制御手段が搭載された制御基板と、遊技機への電力供給が停止しても所定期間は記憶内容を保持することが可能な変動データ記憶手段と、所定電位の電源の出力電圧を監視し検出条件が成立したときに検出信号を出力する電源監視手段とを備え、
前記制御手段は、
特定遊技状態とするか否かを決定するための特定遊技状態決定用数値を所定の数値範囲内で更新する数値更新手段と、
前記特定遊技状態決定用数値が所定回数更新される毎に、当該特定遊技状態決定用数値に所定の数値範囲内の数値のいずれかを初期値として設定する初期値設定手段と、
特定条件の成立にもとづいて、前記数値更新手段が更新する特定遊技状態決定用数値を抽出する数値抽出手段と、
前記数値抽出手段により抽出された前記特定遊技状態決定用数値があらかじめ定められた特定遊技状態判定値に合致しているか否かにもとづいて、前記特定遊技状態とするか否かを決定する特定遊技状態決定手段と、
前記電源監視手段からの検出信号を入力するための信号入力部と、
前記信号入力部への信号入力にもとづいて、制御状態の復旧に必要なデータを前記変動データ記憶手段に記憶させるデータ記憶処理を実行する機能と、
電力供給が停止したあと電力供給が再開されたときに、制御状態を初期化する初期化処理または前記変動データ記憶手段の記憶内容にもとづいて制御状態を復旧する復旧処理のいずれか一方を実行する機能とを有し、
前記初期化処理を実行した後に、前記初期値設定手段が前記特定遊技状態決定用数値の初期値を１回も設定しないうちに前記特定条件が成立したときには、遊技機に設けられる報知手段にて不正報知を行うための不正報知処理を実行する
ことを特徴とする遊技機。
【請求項２】  遊技者が所定の遊技を行い、所定条件が成立したときに遊技者に有利な特定遊技状態に制御可能な遊技機であって、
遊技に関わる制御を行う制御手段が搭載された制御基板と、遊技機への電力供給が停止しても所定期間は記憶内容を保持することが可能な変動データ記憶手段と、所定電位の電源の出力電圧を監視し検出条件が成立したときに検出信号を出力する電源監視手段とを備え、
前記制御手段は、
特定遊技状態とするか否かを決定するための特定遊技状態決定用数値を所定の数値範囲内で更新する数値更新手段と、
前記特定遊技状態決定用数値が所定回数更新される毎に、当該特定遊技状態決定用数値に所定の数値範囲内の数値のいずれかを初期値として設定する初期値設定手段と、
特定条件の成立にもとづいて、前記数値更新手段が更新する特定遊技状態決定用数値を抽出する数値抽出手段と、
前記数値抽出手段により抽出された前記特定遊技状態決定用数値があらかじめ定められた特定遊技状態判定値に合致しているか否かにもとづいて、前記特定遊技状態とするか否かを決定する特定遊技状態決定手段と、
前記電源監視手段からの検出信号を入力するための信号入力部と、
前記信号入力部への信号入力にもとづいて、制御状態の復旧に必要なデータを前記変動データ記憶手段に記憶させるデータ記憶処理を実行する機能と、
電力供給が停止したあと電力供給が再開されたときに、制御状態を初期化する初期化処理または前記変動データ記憶手段の記憶内容にもとづいて制御状態を復旧する復旧処理のいずれか一方を実行する機能とを有し、
前記初期化処理を実行した後、前記初期値設定手段が前記特定遊技状態決定用数値の初期値を１回も設定しないうちに前記特定遊技状態決定手段により特定遊技状態とする決定がされたときには、遊技機に設けられる報知手段にて不正報知を行うための不正報知処理を実行する
ことを特徴とする遊技機。
【請求項３】  遊技者が所定の遊技を行い、所定条件が成立したときに遊技者に有利な特定遊技状態に制御可能な遊技機であって、
遊技に関わる制御を行う制御手段が搭載された制御基板と、遊技機への電力供給が停止しても所定期間は記憶内容を保持することが可能な変動データ記憶手段と、所定電位の電源の出力電圧を監視し検出条件が成立したときに検出信号を出力する電源監視手段とを備え、
前記制御手段は、
特定遊技状態とするか否かを決定するための特定遊技状態決定用数値を所定の数値範囲内で更新する数値更新手段と、
前記特定遊技状態決定用数値が所定回数更新される毎に、当該特定遊技状態決定用数値に所定の数値範囲内の数値のいずれかを初期値として設定する初期値設定手段と、
特定条件の成立にもとづいて、前記数値更新手段が更新する特定遊技状態決定用数値を抽出する数値抽出手段と、
前記数値抽出手段により抽出された前記特定遊技状態決定用数値があらかじめ定められた特定遊技状態判定値に合致しているか否かにもとづいて、前記特定遊技状態とするか否かを決定する特定遊技状態決定手段と、
前記電源監視手段からの検出信号を入力するための信号入力部と、
前記信号入力部への信号入力にもとづいて、制御状態の復旧に必要なデータを前記変動データ記憶手段に記憶させるデータ記憶処理を実行する機能と、
電力供給が停止したあと電力供給が再開されたときに、制御状態を初期化する初期化処理または前記変動データ記憶手段の記憶内容にもとづいて制御状態を復旧する復旧処理のいずれか一方を実行する機能とを有し、
前記初期化処理を実行した後、前記初期値設定手段が前記特定遊技状態決定用数値の初期値を１回も設定しないうちは、前記数値抽出手段による前記特定遊技状態決定用数値の抽出を禁止し、
特定遊技状態決定用数値の抽出を禁止しているときに、前記特定条件が成立したときには、遊技機に設けられる報知手段にて不正報知を行うための不正報知処理を実行する
ことを特徴とする遊技機。
【請求項４】  制御手段は、遊技の進行を制御する遊技制御手段であり、
前記遊技制御手段からのコマンドにもとづいて報知手段を制御する演出制御手段を備え、
前記報知手段は、画面表示を実行する表示装置、点灯表示を実行する発光装置、音出力を実行する音出力装置のうちの少なくとも１つを含み、
前記遊技制御手段は、不正報知処理にて、不正報知を行うことを示す不正報知指定コマンドを前記演出制御手段に送信し、
前記演出制御手段は、前記不正報知指定コマンドの受信に応じて、前記報知手段を用いて不正報知を実行する
請求項１から請求項３のうちいずれかに記載の遊技機。
【請求項５】  遊技制御手段は、不正報知処理にて、不正報知指定コマンドとして、特定遊技状態の発生に関連して送出されるコマンドを演出制御手段に送信し、
前記演出制御手段は、
特定遊技状態の発生に関連して送出されるコマンドを受信したときに、特定遊技状態の発生に関連した制御を指定するコマンドであるか、不正報知の実行を指定するコマンドであるかを判定するコマンド判定手段を備え、
前記コマンド判定手段によって受信したコマンドが不正報知の実行を指定するコマンドであると判定したことにもとづいて、報知手段を用いた不正報知を実行する
請求項４記載の遊技機。
【手続補正２】
【補正対象書類名】明細書
【補正対象項目名】００１５
【補正方法】変更
【補正の内容】
【００１５】
【課題を解決するための手段】
本発明による遊技機は、遊技者が所定の遊技を行い、所定条件が成立したときに遊技者に有利な特定遊技状態（例えば大当り遊技状態）に制御可能な遊技機であって、遊技に関わる制御を行う制御手段（例えばＣＰＵ５６を含む遊技制御手段、演出制御用ＣＰＵ３０１を含む演出制御手段）が搭載された制御基板（例えば主基板３１、演出制御基板３００）と、遊技機への電力供給が停止しても所定期間は記憶内容を保持することが可能な変動データ記憶手段（例えば電源バックアップされているＲＡＭ５５）と、所定電位（例えば３０Ｖ）の電源の出力電圧を監視し検出条件が成立したとき（例えば２２Ｖまで低下したとき）に検出信号（例えば電源断信号）を出力する電源監視手段（例えば電源監視用ＩＣ９０２）とを備え、制御手段は、特定遊技状態とするか否かを決定するための特定遊技状態決定用数値を所定の数値範囲内で更新（例えばステップＳ２３ａ）する数値更新手段（例えば、大当り判定用乱数カウンタ）と、特定遊技状態決定用数値が所定回数更新される毎に、当該特定遊技状態決定用数値に所定の数値範囲内の数値のいずれかを初期値として設定する初期値設定手段（例えば、ステップＳ２３ｄを実行する手段）と、特定条件の成立（例えば有効始動入賞）にもとづいて、数値更新手段が更新する特定遊技状態決定用数値を抽出する数値抽出手段（例えば、ステップＳ４７を実行する手段）と、数値抽出手段により抽出された特定遊技状態決定用数値があらかじめ定められた特定遊技状態判定値に合致しているか否かにもとづいて、特定遊技状態とするか否かを決定する特定遊技状態決定手段（例えば、ステップＳ５７を実行する手段）と、電源監視手段からの検出信号を入力するための信号入力部（例えばマスク不能割込端子）と、信号入力部への信号入力にもとづいて、制御状態の復旧に必要なデータを変動データ記憶手段に記憶させるデータ記憶処理処理（例えば図２２に示す処理）を実行する機能と、電力供給が停止したあと電力供給が再開されたときに、制御状態を初期化する初期化処理（例えばステップＳ９〜ステップＳ１５）または変動データ記憶手段の記憶内容にもとづいて制御状態を復旧する復旧処理（例えば図８に示す遊技状態復旧処理）のいずれか一方を実行する機能とを有し、初期化処理を実行した後に、初期値設定手段が特定遊技状態決定用数値の初期値を１回も設定しないうちに特定条件が成立したとき（例えばステップＳ４２のＹ）には、遊技機に設けられる報知手段（例えば可変表示装置９、スピーカ２７、ランプ・ＬＥＤなどの発光体）にて不正報知を行うための不正報知処理（例えばステップＳ４３、ステップＳ４４）を実行することを特徴とする。
【手続補正３】
【補正対象書類名】明細書
【補正対象項目名】００１６
【補正方法】変更
【補正の内容】
【００１６】
また、本発明による遊技機は、遊技者が所定の遊技を行い、所定条件が成立したときに遊技者に有利な特定遊技状態に制御可能な遊技機であって、遊技に関わる制御を行う制御手段が搭載された制御基板と、遊技機への電力供給が停止しても所定期間は記憶内容を保持することが可能な変動データ記憶手段と、所定電位の電源の出力電圧を監視し検出条件が成立したときに検出信号を出力する電源監視手段とを備え、制御手段は、特定遊技状態とするか否かを決定するための特定遊技状態決定用数値を所定の数値範囲内で更新する数値更新手段と、特定遊技状態決定用数値が所定回数更新される毎に、当該特定遊技状態決定用数値に所定の数値範囲内の数値のいずれかを初期値として設定する初期値設定手段と、特定条件の成立にもとづいて、数値更新手段が更新する特定遊技状態決定用数値を抽出する数値抽出手段と、数値抽出手段により抽出された特定遊技状態決定用数値があらかじめ定められた特定遊技状態判定値に合致しているか否かにもとづいて、特定遊技状態とするか否かを決定する特定遊技状態決定手段と、電源監視手段からの検出信号を入力するための信号入力部と、信号入力部への信号入力にもとづいて、制御状態の復旧に必要なデータを変動データ記憶手段に記憶させるデータ記憶処理を実行する機能と、電力供給が停止したあと電力供給が再開されたときに、制御状態を初期化する初期化処理または変動データ記憶手段の記憶内容にもとづいて制御状態を復旧する復旧処理のいずれか一方を実行する機能とを有し、初期化処理を実行した後、初期値設定手段が特定遊技状態決定用数値の初期値を１回も設定しないうちに特定遊技状態決定手段により特定遊技状態とする決定がされたとき（例えばステップＳ６６のＹ）には、遊技機に設けられる報知手段にて不正報知を行うための不正報知処理（例えばステップＳ６７、ステップＳ６８）を実行することを特徴とする。
【手続補正４】
【補正対象書類名】明細書
【補正対象項目名】００１７
【補正方法】変更
【補正の内容】
【００１７】
また、本発明の遊技機は、遊技者が所定の遊技を行い、所定条件が成立したときに遊技者に有利な特定遊技状態に制御可能な遊技機であって、遊技に関わる制御を行う制御手段が搭載された制御基板と、遊技機への電力供給が停止しても所定期間は記憶内容を保持することが可能な変動データ記憶手段と、所定電位の電源の出力電圧を監視し検出条件が成立したときに検出信号を出力する電源監視手段とを備え、制御手段は、特定遊技状態とするか否かを決定するための特定遊技状態決定用数値を所定の数値範囲内で更新する数値更新手段と、特定遊技状態決定用数値が所定回数更新される毎に、当該特定遊技状態決定用数値に所定の数値範囲内の数値のいずれかを初期値として設定する初期値設定手段と、特定条件の成立にもとづいて、数値更新手段が更新する特定遊技状態決定用数値を抽出する数値抽出手段と、数値抽出手段により抽出された特定遊技状態決定用数値があらかじめ定められた特定遊技状態判定値に合致しているか否かにもとづいて、特定遊技状態とするか否かを決定する特定遊技状態決定手段と、電源監視手段からの検出信号を入力するための信号入力部と、信号入力部への信号入力にもとづいて、制御状態の復旧に必要なデータを変動データ記憶手段に記憶させるデータ記憶処理を実行する機能と、電力供給が停止したあと電力供給が再開されたときに、制御状態を初期化する初期化処理または変動データ記憶手段の記憶内容にもとづいて制御状態を復旧する復旧処理のいずれか一方を実行する機能とを有し、初期化処理を実行した後、初期値設定手段が特定遊技状態決定用数値の初期値を１回も設定しないうちは、数値抽出手段による特定遊技状態決定用数値の抽出を禁止（例えば、図１３に示すように、初回周期未完了フラグがセットされている場合にはステップＳ４６に処理が移行しないようにする）し、特定遊技状態決定用数値の抽出を禁止しているときに、特定条件が成立したときには、遊技機に設けられる報知手段にて不正報知を行うための不正報知処理（例えば図１３に示すステップＳ４３、ステップＳ４４）を実行するように構成されていてもよい。
【手続補正５】
【補正対象書類名】明細書
【補正対象項目名】０２４９
【補正方法】変更
【補正の内容】
【０２４９】
【発明の効果】
以上のように、請求項１記載の発明では、制御手段が、特定遊技状態とするか否かを決定するための特定遊技状態決定用数値を所定の数値範囲内で更新する数値更新手段と、特定遊技状態決定用数値が所定回数更新される毎に、当該特定遊技状態決定用数値に所定の数値範囲内の数値のいずれかを初期値として設定する初期値設定手段と、特定条件の成立にもとづいて、数値更新手段が更新する特定遊技状態決定用数値を抽出する数値抽出手段と、数値抽出手段により抽出された特定遊技状態決定用数値があらかじめ定められた特定遊技状態判定値に合致しているか否かにもとづいて、特定遊技状態とするか否かを決定する特定遊技状態決定手段と、電源監視手段からの検出信号を入力するための信号入力部と、信号入力部への信号入力にもとづいて、制御状態の復旧に必要なデータを変動データ記憶手段に記憶させるデータ記憶処理を実行する機能と、電力供給が停止したあと電力供給が再開されたときに、制御状態を初期化する初期化処理または変動データ記憶手段の記憶内容にもとづいて制御状態を復旧する復旧処理のいずれか一方を実行する機能とを有し、初期化処理を実行した後、初期値設定手段が特定遊技状態決定用数値の初期値を１回も設定しないうちに特定条件が成立したときには、遊技機に設けられる報知手段にて不正報知を行うための不正報知処理を実行することを特徴とするので、制御手段に初期化処理を実行させる不正行為が行われた場合に、そのような不正行為をより確実に発見することができるという効果がある。つまり、特定遊技状態決定用数値の１周期の更新を終える前に特定条件が成立した場合に不正行為であると判定するので、制御手段に初期化処理を実行させて特定遊技状態決定用数値の１周期の更新を終えるまでの期間を狙って特定条件を成立させる不正行為がなされている可能性が高い場合にのみ不正報知処理を実行することができ、不正報知の信頼性が向上するため、遊技店員が迅速に対応をとることが可能となる。
【手続補正６】
【補正対象書類名】明細書
【補正対象項目名】０２５０
【補正方法】変更
【補正の内容】
【０２５０】
また、上述したように、請求項２記載の発明では、制御手段が、特定遊技状態とするか否かを決定するための特定遊技状態決定用数値を所定の数値範囲内で更新する数値更新手段と、特定遊技状態決定用数値が所定回数更新される毎に、当該特定遊技状態決定用数値に所定の数値範囲内の数値のいずれかを初期値として設定する初期値設定手段と、特定条件の成立にもとづいて、数値更新手段が更新する特定遊技状態決定用数値を抽出する数値抽出手段と、数値抽出手段により抽出された特定遊技状態決定用数値があらかじめ定められた特定遊技状態判定値に合致しているか否かにもとづいて、特定遊技状態とするか否かを決定する特定遊技状態決定手段と、電源監視手段からの検出信号を入力するための信号入力部と、信号入力部への信号入力にもとづいて、制御状態の復旧に必要なデータを変動データ記憶手段に記憶させるデータ記憶処理を実行する機能と、電力供給が停止したあと電力供給が再開されたときに、制御状態を初期化する初期化処理または変動データ記憶手段の記憶内容にもとづいて制御状態を復旧する復旧処理のいずれか一方を実行する機能とを有し、初期化処理を実行した後、初期値設定手段が特定遊技状態決定用数値の初期値を１回も設定しないうちに特定遊技状態決定手段により特定遊技状態とする決定がされたときには、遊技機に設けられる報知手段にて不正報知を行うための不正報知処理を実行することを特徴とするので、制御手段に初期化処理を実行させる不正行為が行われた場合に、そのような不正行為をより確実に発見することができるという効果がある。つまり、特定遊技状態決定用数値の１周期の更新を終える前に特定遊技状態とすることが決定された場合に不正行為であると判定するので、制御手段に初期化処理を実行させて特定遊技状態となるタイミングを狙って特定条件を成立させる不正行為がなされている可能性が極めて高い場合にのみ不正報知処理を実行することができ、不正報知の信頼性が向上するため、遊技店員が迅速に対応をとることが可能となる。
【手続補正７】
【補正対象書類名】明細書
【補正対象項目名】０２５１
【補正方法】変更
【補正の内容】
【０２５１】
また、上述したように、請求項３記載の発明では、制御手段が、特定遊技状態とするか否かを決定するための特定遊技状態決定用数値を所定の数値範囲内で更新する数値更新手段と、特定遊技状態決定用数値が所定回数更新される毎に、当該特定遊技状態決定用数値に所定の数値範囲内の数値のいずれかを初期値として設定する初期値設定手段と、特定条件の成立にもとづいて、数値更新手段が更新する特定遊技状態決定用数値を抽出する数値抽出手段と、数値抽出手段により抽出された特定遊技状態決定用数値があらかじめ定められた特定遊技状態判定値に合致しているか否かにもとづいて、特定遊技状態とするか否かを決定する特定遊技状態決定手段と、電源監視手段からの検出信号を入力するための信号入力部と、信号入力部への信号入力にもとづいて、制御状態の復旧に必要なデータを変動データ記憶手段に記憶させるデータ記憶処理を実行する機能と、電力供給が停止したあと電力供給が再開されたときに、制御状態を初期化する初期化処理または変動データ記憶手段の記憶内容にもとづいて制御状態を復旧する復旧処理のいずれか一方を実行する機能とを有し、初期化処理を実行した後、初期値設定手段が特定遊技状態決定用数値の初期値を１回も設定しないうちは、数値抽出手段による特定遊技状態決定用数値の抽出を禁止し、特定遊技状態決定用数値の抽出を禁止しているときに、特定条件が成立したときには、遊技機に設けられる報知手段にて不正報知を行うための不正報知処理を実行することを特徴とするので、制御手段に初期化処理を実行させる不正行為が行われた場合に、そのような不正行為にもとづく特定遊技状態とするか否かの判定が行われないようにすることができ、不正行為によって特定遊技状態とされることを防止することができる。また、制御手段に初期化処理を実行させて特定遊技状態決定用数値の１周期の更新を終えるまでの期間を狙って特定条件を成立させる不正行為が行われた場合に、そのような不正行為をより確実に発見することができる。